(57)【要約】【課題】別部材としての錘を必要としない、倒れ防止機能を備えた移動式看板装置を提供する。【解決手段】ベース部３と、告知面板部３１とで構成する。ベース部は、中空角型断面のアルミ合金の押出し形材を使用して形成した枠体５とブリッジ７とを備え、内部に水タンクとして使用する空所８を備えている。告知面板部３個のサインユニット３３、５１、６１を順次重ねて構成し、ジョイント４１を用いて、第１段をベース部の支柱１５へ、第２段を第１段の上へ、第３段を第２段の上へ、取外し可能に取付ける。これにより、サインユニットの追加取り付け、或は取外しを行うことが出来る。【選択図】　　　図１
2004145216.tif 000002
【特許請求の範囲】
【請求項１】
ベース部と該ベース部に立設される告知面板部を備えた移動式看板装置において、前記ベース部は、所定の平面的寸法を有する、注入口と排出口とを備えた中空部材を備え、水を注入できる水タンクとして使用できるように構成したことを特徴とする、移動式看板装置。
【請求項２】
請求項１記載の移動式看板装置において、中空部材は平面形状略方形の枠体に形成され、該枠体の各辺は中空の棒状部材で形成され、隣り合う棒状部材の内部は、互いに接続される端部において連通していることを特徴とする、移動式看板装置。
【請求項３】
請求項２記載の移動式看板装置において、前記中空部材は、前記枠体の一対の互いに向い合う辺を形成する棒状部材にその両端部において結合された棒状のブリッジ部材をさらに備え、該ブリッジ部材は中空で、その両端部において前記一対の棒状部材の内部に連通していることを特徴とする、移動式看板装置。
【請求項４】
請求項２または３に記載の移動式看板装置において、前記中空部材は、アルミ合金押出し形材を使用して形成されていることを特徴とする、移動式看板装置。
【請求項５】
請求項４記載の移動式看板装置において、前記ブリッジ部材は、アルミの引抜き成形材を使用して形成されていることを特徴とする、移動式看板装置。
【請求項６】
請求項５記載の移動式看板装置において、前記中空部材とブリッジ部材は横断面が方形に形成されていることを特徴とする、移動式看板装置。
【請求項７】
請求項１乃至６のいずれか１記載の移動式看板装置において、前記告示面板部は、個別のサインユニットを所望の数だけ積み重ねることにより構成され、前記ベース部上に載置されるサインユニットと前記ベース部との間、及び隣り合うサインユニットの間には、互いに取外し可能な取付け固定手段が設けられ、前記サインユニットの数は、増減可能であることを特徴とする、移動式看板装置。
【請求項８】
請求項７記載の移動式看板装置において、前記水タンクには内部の水量を示すインジケータが設けられていることを特徴とする、移動式看板装置。
【発明の詳細な説明】
【０００１】
【発明の属する技術分野】
本願発明は移動式看板装置に関する。さらに詳細に言えば、特に他の構築物等へ固定しなくても、風などの作用により倒れることのない、移動式看板に関する。さらに本発明は、告知面板の数を所望に応じて増減できる機能をも備えた、移動式看板装置に関する。
【０００２】
【従来の技術】
最近、例えばガソリンスタンドにおいて各油種の価格を表示する看板として、或は諸施設の駐車場の入口、出口を表示する看板等として、移動式のものが使用されている。これは、キャスター付のものと、付いていないものとがあるが、いずれにしても移動が簡単に出来るように比較的に軽量である。そしてその構造は、ベース部と、その上に取付けられた告知面板とからなり、ベース部が地面上に置かれるだけで、この看板を柱等他の構築物に固定することは一般的に行われていない。従ってそのままでは強風が吹いた場合に転倒してしまう恐れがある。
【０００３】
これに対処する方法として、例えば水入りのタンクあるいは砂袋等からなる錘をベース上に載せ、これにより転倒防止を図ることが従来行なわれていた。
【０００４】
しかしこのような対応では、看板の設置或いは格納の為に看板を移動する度に錘を載置或は撤去しなけらばならず、面倒である。また、保管の面でも面倒である。さらには、設置中に錘の載せ方が悪いと十分に錘の役目をせず、看板が転倒してしまうこともある。適切に載せたとしても、見映えが非常に悪い。
【０００５】
また、従来のこの種の看板は決められたサイズになっており、告知面板の増減を行うことが出来ない。例えば時間帯或は季節によって特定の告知面板を追加したり或は取除いたりしたいような場合があっても、対応が不可能である。
【０００６】
【発明が解決しようとする課題】
本願発明は、上記従来の問題点に鑑みなされたものであり、別途ベースに載せる錘を必要とせず、充分な倒れ防止機能を備えた移動式看板装置を提供することをその課題とする。
【０００７】
また、告知面板の数を増減可能とし、且つその数に見合った充分な倒れ防止機能をも備えた移動式看板装置を提供することもその課題とする。
【０００８】
【課題を解決するための手段】
上記課題を解決するために、本願発明に係るベース部と該ベース部に立設される告知面板部を備えた移動式看板装置においては、そのベース部は、所定の平面的寸法を有する、注入口と排出口とを備えた中空部材を備え、水を注入できる水タンクとして使用できるように構成した。これにより、ベース部内部にタンクが形成されてしまうので、従来使用していた水入りタンク等の錘が不要となる。
【０００９】
ある実施の形態においては、その中空部材は平面形状略方形の枠体に形成され、該枠体の各辺は中空の棒状部材で形成され、隣り合う棒状部材の内部は、互いに接続される端部において連通し、一個のタンクを形成している構成とした。各種中空棒状素材は比較的に製造が容易であり、この素材を利用すれば、所望の寸法のベース部がきわめて容易且つ安価に製造できる。成形金型を使用してベース部そのものを成形する場合には、異なる寸法毎に金型を作る必要があり、費用が嵩んでしまう。
【００１０】
さらに他の実施の形態では、その中空部材は、枠体の一対の互いに向い合う辺を形成する棒状部材にその両端部において結合された棒状のブリッジ部材をさらに備えており、該ブリッジ部材は中空で、両端部においてその一対の棒状部材の内部に連通し、タンクの一部を形成している。これにより、ベース部の強度が増す。
【００１１】
さらに他の実施の形態では、その中空部材は、アルミ合金の押出し形材を使用して形成されている。また、ブリッジ部材も、アルミ合金の押出し形材を使用して形成されている。アルミ合金の押出し形材は入手が容易であり、それ自体で防錆性があるので、別途防錆用の塗装などが不要である。
【００１２】
さらに他の実施の形態では、その中空部材とブリッジ部材は横断面が方形に形成されている。これにより剛性を高めることが出来る。
【００１３】
さらに他の実施の形態では、告示面板部は、個別のサインユニットを所望の数だけ積み重ねることにより構成され、ベース部上に載置されるサインユニットとベース部との間、及び隣り合うサインユニットの間には、互いに取外し可能の取付け固定手段が設けられており、サインユニットの数は、増減可能となっている。これにより、必要に応じてサインユニットの追加、除去を容易に行うことが出来、きわめて便利である。その際、サインユニットの数に応じてタンク内の水量を変えることもでき、充分な倒れ防止機能を果たしつつ、移動の際に過剰な労力を要しないで済む。
【００１４】
さらに他に実施の形態では、水タンクには内部の水量を示すインジケータが設けられている。これによりタンク内の水量を知ることが出来、設置したサインユニットの数に適した水量を入れることが出来る。
【００１５】
【発明の実施の形態】
以下、図面を参照して本願発明の具体的な実施の形態について説明する。図１、２、３は、それぞれ本願発明の実施の形態に係る移動式看板装置１の正面図、側面図及び平面図である。装置１はベース部３と、その上に立設される告知面板部３１とから構成されている。
【００１６】
先ず図１乃至３に加えて図４をも参照してベース部３を説明する。図４はベース部３の正面図（イ）及び平面図（ロ）である。ベース部３は、略正方形をした枠体５と、その枠体５の対向する二つの辺を構成する枠辺部材５ｂと５ｄの略中央部を繋ぐブリッジ部７（図４（ロ）参照）とを備えている。各枠辺部材５ａ、５ｂ、５ｃ、５ｄとブリッジ部７とは、本実施の形態では、すべてアルミ合金の押出し加工で形成した角柱材を所定の長さに切断し、所定の加工を加え、互いに溶接して接続したものであり、これらの内部は互いに通じて全体として一個の空所８を画成し、後述するように使用時に水タンクとして機能する。なお、枠辺部材５ａ、ｂ、ｃ、ｄとブリッジ部７とはアルミ製に限定されず、例えば他の金属製でも、プラスチック製でよい。
【００１７】
枠辺部材５ｂの上下の面には注入口９と排水口１１とが設けられており、それぞれに開閉可能なキャップ１０、１２が取付けられている。また枠辺部材５ａには空所８内に注入された水の量を示す、例えばフロート式のインジケータ１３が取り付けられている。
【００１８】
また枠辺部材５ｂと５ｄの上面側にはその長手方向略中央において、横断面角型で中空の支柱１５が溶接して立設されている。支柱１５の、図４（ロ）で上下に隔てて対向する壁部には、長手方向所定の間隔でそれぞれ２個の孔１６が、長手方向同じ位置に形成されている（図４（イ）参照）。符合１７は支柱を補強する補強版であり、枠辺部材５ｂ、５ｄと支柱１５へ溶接されている。本実施の形態ではこのベース部３は、枠体５の適宜位置に取付けられた４個のキャスター１９を備えているが、必ずしもこれは必須ではない。符合２１は枠体５の下面側所定の位置に取付けられた、伸縮自在な棒状のアジャスタである。これについては後述する。
【００１９】
次に図１乃至３に加えて図５、６をも参照して、告知面板部３１について説明し、併せて装置１の組立て方についても説明する。図５は装置１の分解正面図であり、図６はジョイントを示す図で、（イ）は正面図、（ロ）は平面図である。
【００２０】
告知面板部３１は、複数のサインユニットから構成され、以下の説明では、３個、即ち第１段、第２段、及び第３段のサインユニット３３、５１、６１で構成されている場合について説明する。
【００２１】
第１段のサインユニット３３は、中空で、横断面がベース部３の支柱１５と略同じ角型をした細長い左右のフレーム部材３５、３５と、両側部で適宜手段を用いて左右フレーム部材３５、３５に固定された告知面板３７とで構成されている。この告知面板３７は従来使用されているのと同じタイプのものでよく、本実施の形態では内部照明式であり、内部に空所を備えたプラスチック製のケース３９とその内部に格納された照明源としての蛍光灯（図示せず）を備え、ケース３９の表面には所定の文字、記号等が記載されている（図示省略）。また、蛍光灯はベース部３の支柱１５、フレーム部材３５の中を引回されるコードを介して図示しない電源に接続されるようになっている。この内部照明式の構成は従来から使用されており、公知であるので詳細な説明は省略する。なお、フレーム部材３５の、図５の紙面垂直方向で隔てて位置する二つの壁部には、その上下端部において２個づつ、ベース部３の支柱１５の孔１６と同じように孔３６が向い合って形成されている。
【００２２】
第１段のサインユニット３３は、図６に示すジョイント４１を用いてベース部３の支柱１５、１５に取付けられる。すなわち、ジョイント４１は横断面がコの字状をした細長い部材であり、三つの壁部４１ａ、ｂ、ｃの内の幅の短い互いに向い合う二つの壁部４１ａ、ｂには長手方向に所定の間隔で、軸方向同じ位置に、本実施の形態では４個のネジ孔４３が形成されている。そして図５に示されるように先ずそれぞれの支柱１５にボルト４５を用いて、ジョイント４１を半分だけ挿入した状態で取り付けておく。この状態で、第１段のサインユニット３３のフレーム部材３５の下側をジョイント４１の上側部分に嵌め込み、ボルト４５を孔３６を通してジョイント４１のネジ孔４３に螺合させて締め付け、これにより第１段のサインユニット３３をベース部３に固定する。第１段サインユニット３３のフレーム部材３５の上端部には、予め別のジョイント４１を取付けておくが、これは第１段のサインユニット３３をベース部３に取付けた後に取付けても良い。
【００２３】
第２段のサインユニット５１は第１段のユニット３３とほぼ同じ構成であり、左右のフレーム部材５３、５３と告示面板５５とを備えているが、そのフレーム部材５３、５３には図示の通り取っ手５７、５７が設けられている。第２段のサインユニット５１は、第１のサインユニット３３をベース部３に取付けたのと同様の方法で取付ける。フレーム部材５３、５３の上端部には、ジョイント４１を取り付けておく。
【００２４】
第３段のサインユニット６１も、第１、第２のサインユニット３３、５１と同様な構成を備え、左右のフレーム部材６３、６３と告示面板６５を備えるが、さらに上側フレーム６４をも備えている。上側フレーム６４は左右のフレーム６３、６３の上端部と、告示面板６５の上側縁部に沿って取付けられる。左右フレーム６３、６３の孔６４は下側端部にのみ形成される。第３段のサインユニット６１の取付け方は、第１段、第２段のサインユニット３３、５１と同様にして取付けられる。その説明は省略する。
【００２５】
なお、前述した通り本実施の形態の装置１は内部照明式のものである。そしてその各サインユニットの照明装置は、各サインユニットを上に重ねる際に各照明装置の配線端部に設けられた雌雄のソケットを組付けるだけで順次電源に接続されるようになっているが、その構成は本願発明と直接の関係を有しないので、その説明は省略する。なお、本願発明の移動式看板装置が、内部照明式に限定されるものでないことは言うまでもない。
【００２６】
以上の如く構成された看板装置においては、使用時に当たって、ベース部３に形成された空所８を水タンクとして使用し、この中に注入口９から水を注入し、必要な重量を備えるようにして、風などによる倒れを防止する。また、前述の説明から明らかな通り、サインユニットはそれぞれ着脱が出来るようになっており、必要に応じてサインユニットを追加し、或は減らすことができる。なお、その際に、サインユニットの数に応じて空所８内に水を注入或は排水して、中の水の量を調節することが可能である。すなわち、サインユニットが一個使用されている場合と３枚使用されている場合とでは、倒れ防止に必要とされる水量は異なる。サインユニットを１個だけ使用している場合にも空所８内一杯に水を満たしておくと、移動等の場合に必要以上の労力を要するので、水量を調節して軽くしておくとよい。その場合、前述のインジケータ１３を利用することができる。勿論サインユニットの最大使用個数に見合った水を常に空所８内に満たしておいても差し支えはない。なお、装置１を所定の設置位置に安定的に置き、移動しないようにするのに、前述のアジャスタ２１を使用する。すなわち所定の位置に移動した後、それぞれのアジャスタ２１を伸縮させて地面にそれらの端部を接地させ、キャスタ１９を若干地面から浮かせる。これによりその位置に安定的に、移動しないように設置できる。なお、傾斜した位置においても各アジャスタの伸縮両を適宜調節することにより、安定的に設置できる。
【００２７】
【発明の効果】
以上の説明から明らかなとおり、本願発明に係る移動式看板装置によれば、ベース部内部にタンクが形成されてしまうので、従来使用していた水入りタンク等の錘が不要となり、設置、移動の手間が簡単になり、管理も容易となる。また使用時における見映えも良くなる。
【００２８】
その中空部材を、中空の棒状部材で方形の枠に形成し、隣り合う棒状部材の内部を連通して一個のタンクを形成する場合には、各種中空棒状素材は比較的に製造が容易であり、この素材を利用すれば、所望の寸法のベース部がきわめて容易且つ安価に製造できる。
【００２９】
また、中空部材の、方形枠型の一対の互いに向い合う辺を形成する棒状部材を棒状のブリッジ部材で結合すると、ベース部の強度が増す。
【００３０】
中空部材やブリッジ部材をアルミ合金の押出し形材を使用して形成する場合には、アルミの引抜き材は入手が容易であり、それ自体で防錆性があるので、別途防錆用の塗装などが不要である。
【００３１】
中空部材とブリッジ部材は横断面を方形に形成すると、剛性をより高めることが出来る。
【００３２】
告知面板部を個別のサインユニットを所望の数だけ積み重ねることにより構成し、ベース部上に載置されるサインユニットとベース部との間、及び隣り合うサインユニットの間には、互いに取外し可能の取付け手段を設けると、サインユニットの数は、自由に増減可能となる。これにより、必要に応じてサインユニットの追加、除去を容易に行うことが出来、きわめて便利である。その際、サインユニットの数に応じてタンク内の水量を変えることもでき、移動の際に過剰な労力を要しないで済む。
【００３３】
水タンクには内部の水量を示すインジケータが設けておくと、タンク内の水量知ることが出来、設置したサインユニットの数に適した水量を入れることが出来る。
【図面の簡単な説明】
【図１】本発明の実施の形態に係る移動式看板装置を示す正面図ある。
【図２】図１に示す装置の側面図である。
【図３】図１に示す装置の平面図である。
【図４】ベース部を示す図で、（イ）は正面図、（ロ）は平面図である。
【図５】図１に示す装置の分解正面図である。
【図６】ジョイントを示す図で、（イ）は正面図、（ロ）は平面図である。
【符号の説明】
１　移動式看板装置
３　ベース部
５　枠体
５ａ、５ｂ、５ｃ、５ｄ　枠辺部材
７　ブリッジ部材
８　空所（タンク）
９　注入口
１１　排水口
１３　インジケータ
１５　支柱
１７　補強板
３１　告知面板部
３３　第１段サインユニット
３５　フレーム部材
３６　孔
３７　告知面板
３９　ケース
４１　ジョイント
４３　ネジ孔
５１　第２段サインユニット
６１　第３段サインユニット
【図１】
2004145216.tif 000003
【図２】
2004145216.tif 000004
【図３】
2004145216.tif 000005
【図４】
2004145216.tif 000006
【図５】
2004145216.tif 000007
【図６】
2004145216.tif 000008